(57)【特許請求の範囲】
【請求項１】
被覆電線を集合したものを外被で覆ったケーブルを、複数本束ねるように配置した多条ケーブルにおいて、束ねた際に外側に配置される各ケーブルを、該ケーブルの各中心を結んだ線が断面多角形を描く位置にくるように配置し、前記複数本束ねるように配置した多条のケーブルどうしを、該ケーブルの長手方向に沿って、前記外被と同一の材料からなる連結体で連結したことを特徴とする多条ケーブル。
【請求項２】
前記連結体の幅は、零より大である請求項１に記載の多条ケーブル。
【請求項３】
前記連結体は、該連結体の両縁に配置されたケーブルどうしを、互いに離間する方向に引っ張ることにより、切断可能とした請求項１に記載の多条ケーブル。
【請求項４】
前記連結体が、前記ケーブルの長手方向に断続的に形成されている請求項１に記載の多条ケーブル。
【請求項５】
前記各ケーブルを、前記連結体により断面リング状に連結したものを仮想した場合、前記連結体は１箇所だけ省略されている請求項１に記載の多条ケーブル。
【請求項６】
前記各ケーブルは、選択的に異種のものである請求項１に記載の多条ケーブル。
【請求項７】
前記多角形は実質的に正多角形である請求項１に記載の多条ケーブル。
【請求項８】
前記各ケーブルの集合体の外周を結ぶ仮想の外接円は、実質的に真円である請求項１に記載の多条ケーブル。
【発明の詳細な説明】
【０００１】
【産業上の利用分野】
本発明は、被覆電線を集合したものを外被で覆ったケーブルを、複数本束ねるように配置した多条ケーブルに関する。
【０００２】
【従来の技術】
従来、この種の多条ケーブルを使用するものの例としてとして、ＬＡＮ（ローカル・エリア・ネットワーク）の配線及び電話とＬＡＮ等を統合した配線がある。そして、使用するケーブルないし配線方法としては、
（１）全被覆電線を集合したものを共通シース（外被）で覆ったケーブル。
（２）支持線の回りを複数の電線とかケーブルで撚り合わせたケーブルないしは電線相互を撚り合わせたケーブル。
（３）電線とか対ケーブルを平坦状に連結して、カーペット下の布設などに便利なようにしたもの。
（４）１本ずつの電線とかケーブルをばらばらに必要な条数だけ布設したもの。などがある。
【０００３】
しかし、上記（１）のものは、非常に多数の電線または対などを１束にまとめたものであるため、ケーブル自体のスペース・ファクタは良好であるが、端末機器などがとびとびに配設されている場合などには、端末機器毎の分岐配線のため中間端子盤等を用いて各端末機器に使用する対数のケーブルに接続する等、複雑になるし、線どうしが非常に接近した状態で配置されるため、漏話特性が悪化するなどの欠点がある。
【０００４】
上記（２）のものは、撚ってある状態では問題が生じにくいものの、一度ほぐすとばらばらになりやすいし、撚り合わせた線を中間でほぐすことが難しくなるなどの欠点がある。
【０００５】
上記（３）のものは、ケーブルどうしがフラット状態で配置されるため、ケーブルの曲げとか撚りが困難化される場合があるし、またフラット方向に対するスペース・ファクタが悪化する。
【０００６】
上記（４）のものは、ばらばらの線またはケーブルを１条ずつ布設するため、布設工程が増加するし、多条の線とかケーブルのまとまりが悪くなるなどの問題がある。
【０００７】
【発明が解決しようとする課題】
本発明は上記実情に鑑みてなされたもので、上記各従来の問題点を改善し、特に、布設工事が円滑化される多条ケーブを提供しようとするものである。
【０００８】
【発明が解決しようとする課題及び作用】
本発明は、被覆電線を集合したものを外被で覆ったケーブルを、複数本束ねるように配置した多条ケーブルにおいて、束ねた際に外側に配置される各ケーブルを、該ケーブルの各中心を結んだ線が断面多角形を描く位置にくるように配置し、前記複数本束ねるように配置した多条のケーブルどうしを、該ケーブルの長手方向に沿って、前記外被と同一の材料からなる連結体で連結したことを特徴とする多条ケーブルである。
【０００９】
すなわち本発明は、外被で丸く束ねるように連結したケーブル構成とし、端末機器がある箇所でこれらがばらばらに配置されていた場合でも、１条（少数の複数条でも可）を付設して、端末の箇所で配線する場合には、上記連結体を切り裂くようにして所要のケーブルを、枝葉を作るごとく分岐させることにより、まとまりの良い分岐構成とし、また各ケーブル同志間は、連結体と外被の分だけケーブル間の距離を稼げるため、その分だけ漏話特性が良くなる。また、連結体の幅の分だけ、多条ケーブルの各ケーブル間には、隙間のような遊びができるため、布設時の曲げとかよじれに対して容易に適応できるようになる。特に、布設時によじれが入った場合には布設抵抗が減少し、布設の容易性が高まる。また、本発明の多条ケーブルは、外被で丸く束ねるように連結した構成とするため、上記従来の（３）項のごときフラット形と比較して、本多条ケーブルとか、該ケーブルを構成する各対線とかの占める占有面積のスペースファクタも低減化できる。また、本多条ケーブルの製造時も、各ケーブル同志が長手方向に連結した構成であるため、外被押し出し工程を１回行うだけで済むため、製造が非常に簡単化されるなどの利点が得られるようになる。
【００１０】
【実施例】
以下図面を参照して本発明を実施例により説明する。図１は３本のケーブル１１ａ〜１１ｃを用いた場合の本実施例の断面的構成図である。ここで１２はそれぞれ対線、１３はプラスチック・シースからなる外被であり、１４ａ、１４ｂはケーブル１１ａおよび１１ｂの外被間、ケーブル１１ｂおよび１１ｃの外被間をそれぞれつなぐ連結体（ブリッジ）である。連結体１４ａ、１４ｂは、外被１３と同一材料かつ一体化形成されたもので、本多条ケーブルを押し出しで形成することにより、本構成は得られる。
【００１１】
連結体の幅Ｌ（異なるケーブル１１間の距離に相当）は、零より大ならば適宜の長さを選択できるし、該連結体１４ａ、１４ｂは、ケーブル１１ａ〜１１ｃの長手方向に形成され、隣接するケーブル間を連結している。ケーブル１１ａ〜１１ｃの配置は、これらの中心ｃ同志を結んだ場合、実質的に正３角形が描けるような配置である。言い換えれば、ケーブル１１ａ〜１１ｃにそれぞれ同一形状のものを用いているから、ケーブル１１ａ〜１１ｃの仮想の外接円１５を引いた場合には、この円１５は実質的に真円となる配置である。もちろんケーブル１１ａ〜１１ｃを選択的に異なるもの（例えば、ケーブル径とか対数などが）を用いた場合などには、上記各中心ｃを結んだとき、その仮想線形状は正３角形とはならず、単なる３角形状となるとか、外接円１５は真円とはならない場合がある。尚、ケーブル１１ａは一つの端末機器用の配線として用いられ、またケーブル１１ｂ、１１ｃもそれぞれ一つの端末機器に対応するように用いるのが、一般的な用い方である。また、図１の多条ケーブルは、建物の二重床などに布設されるものである。
【００１２】
図１の構成にあっては、外被１３で丸く束ねるように連結したケーブル構成とし、端末機器がある箇所でこれらがばらばらに配置されていた場合でも、１条  （少数の複数条でも可）を布設して、或る端末機器の箇所で配線する場合には、例えば連結体１４ａを切り裂くようにして所要のケーブル１１ａを、枝葉を作るごとく分岐させることにより、ケーブル同志まとまりの良い分岐構成が得られる。また各ケーブル１１ａ、１１ｂ、１１ｃ相互間は、連結体１４ａ、１４ｂと外被１３の分だけケーブル相互間の距離が離れるため、その分だけ漏話特性が良くなる。また、連結体の幅Ｌの分だけ、多条ケーブルの各ケーブル１１ａ〜１１ｃ相互間には、隙間のような遊びができるし、ケーブル１１ａと１１ｃとの間には連結体が形成されておらず、ブランク状態となるため、本多条ケーブルの径方向に対してフレキシブルな構成となり、したがって、布設時の曲げとかよじれに対して容易に適応できるようになる。特に、布設時によじれが入った場合には布設抵抗が減少し、布設の容易性が高まる。また、本発明の多条ケーブルは、外被１３で丸く束ねるように連結した構成とするため、上記従来の（３）のごときフラット形と比較して、本多条ケーブルとか、該ケーブルを構成する各対線１２が占める外接円１５内での占有面積のスペースファクタも低減化できる（外接円１５の径が比較的小にできる）。また、図１の構成では、ケーブル１１ａ、１１ｃ間が直接連結体で結ばれておらず、フリーな構成となっているため、これらのケーブル１１ａ、１１ｃ間の距離を、ケーブル間距離Ｌより広くしたり、または狭くしたりできるため、布設工事に都合が良くなる場合もある。また、本多条ケーブルの製造時も、各ケーブル同志が長手方向に連結した構成であるため、外被押し出し工程を１回行うだけで済むため、製造が非常に簡単化されるなどの利点が得られるようになるものである。なお、連結体１４ａ、１４ｂは、各ケーブル１１ａ、１１ｂ、１１ｃの長手方向に連続的に形成するだけではなく、ミシン目を入れる等によりケーブルの長手方向に断続的に形成するようにしてもよい。
【００１３】
図２は、本発明の他の実施例の断面的構成図である。この実施例の特徴は、図１の多条ケーブルにおいて、ケーブル１１ａ、１１ｃ間の外被１３を、これと同一の材料の連結体１４ｃで直接連結したものである。この場合、ケーブル１１ａ、１１ｃ間の距離の伸縮性は多少損なわれるものの、ケーブル１１ａ、１１ｂ、１１ｃ間の配置が固定され、これらの配置がばらつくのを防止できるものである。その他の点については、図１の場合に対応するので、対応箇所には、同一符号を付して説明を省略する。この場合にも連結体１４ａ、１４ｂ、１４ｃは、各ケーブル１１ａ、１１ｂ、１１ｃの長手方向に連続的に形成するだけではなく、ケーブルの長手方向に断続的に形成するようにしてもよい。
【００１４】
図３は本発明の異なる実施例である。この実施例では、いわば三つ又形状をした共通構成の連結体１４で、ケーブル１１ａ〜１１ｃを中心側で連結している。その他の点については、図１の場合に対応するので、対応箇所には、同一符号を付して説明を省略する。
【００１５】
図４は、本発明の異なる実施例である。本実施例は、４本のケーブル１１ａ〜１１ｄを用いた場合の本実施例の断面的構成図である。ここで１２はそれぞれ対線、１３はプラスチック・シースからなる外被であり、１４ａ〜１４ｃは、ケーブル１１ａおよび１１ｂの外被間、ケーブル１１ｂおよび１１ｃの外被間、ケーブル１１ｃおよび１１ｄの外被間の外被間をそれぞれつなぐ連結体（ブリッジ）である。連結体１４ａ〜１４ｃは、外被１３と同一材料かつ一体化形成されたもので、本多条ケーブルを押し出しで形成することにより、本構成は得られる。
【００１６】
連結体の幅Ｌは、零より大ならば適宜の長さを選択できるし、該連結体１４ａ〜１４ｃは、それぞれケーブル１１ａ〜１１ｄの長手方向に形成され、隣接するケーブル間を連結している。ケーブル１１ａ〜１１ｄの配置は、これらの中心ｃ同志を結んだ場合、実質的に正４角形が描けるような配置である。言い換えれば、ケーブル１１ａ〜１１ｄにそれぞれ同一形状のものを用いているから、ケーブル１１ａ〜１１ｄの仮想の外接円１５を引いた場合には、この円１５は実質的に真円となる配置である。もちろんケーブル１１ａ〜１１ｄを選択的に異なるもの（例えば、ケーブル径とか対数などが）を用いた場合などには、上記各中心ｃを結んだとき、その仮想線形状は正４角形とはならず、単なる４角形状となるとか、外接円１５は真円とはならない場合がある。尚、ケーブル１１ａは一つの端末機器用の配線として用いられ、またケーブル１１ｂ〜１１ｄもそれぞれ一つの端末機器に対応するように用いるのが、一般的な用い方である。本実施例においても、連結体１４ａ〜１４ｄのうちのいずれか１つを省略すれば、それによって連結されていたケーブル間がフリーな構成となるため、図１の場合と同様なフレキシブル性が得られることになる。その他の点については、図１の場合に対応するので、説明を省略する。
【００１７】
図５は、本発明の他の実施例の断面的構成図である。この実施例の特徴は、図４の実施例の多条ケーブルにおいて、ケーブル１１ｄ、１１ａ間の外被１３を、これと同一の材料の連結体１４ｄで直接連結したものである。この場合、ケーブル１１ａ、１１ｄ間の距離の伸縮性は多少損なわれるものの、ケーブル１１ａ、１１ｂ、１１ｃ、１１ｄ間の配置が固定され、これらの配置がばらつくのを防止できるものである。その他の点については、図４の場合に対応するので、対応箇所には、同一符号を付して説明を省略する。
【００１８】
図６は、本発明の異なる実施例である。本実施例は、５本のケーブル１１ａ〜１１ｅを用いた場合の本実施例の断面的構成図である。ここで１２はそれぞれ対線、１３はプラスチック・シースからなる外被であり、１４ａ〜１４ｄは、ケーブル１１ａおよび１１ｂの外被間、ケーブル１１ｂおよび１１ｃの外被間、ケーブル１１ｃおよび１１ｄの外被間、ケーブル１１ｄおよび１１ｅの外被間をそれぞれつなぐ連結体（ブリッジ）である。連結体１４ａ〜１４ｄは、外被１３と同一材料かつ一体化形成されたもので、本多条ケーブルを押し出しで形成することにより、本構成は得られる。
【００１９】
連結体の幅Ｌは、零より大ならば適宜の長さを選択できるし、該連結体１４ａ〜１４ｄは、それぞれケーブル１１ａ〜１１ｅの長手方向に形成され、隣接するケーブル間を連結している。ケーブル１１ａ〜１１ｅの配置は、これらの中心ｃ同志を結んだ場合、実質的に正５角形が描けるような配置である。言い換えれば、ケーブル１１ａ〜１１ｅにそれぞれ同一形状のものを用いているから、ケーブル１１ａ〜１１ｅの仮想の外接円１５を引いた場合には、この円１５は実質的に真円となる配置である。もちろんケーブル１１ａ〜１１ｅを選択的に異なるもの（例えば、ケーブル径とか対数などが）を用いた場合などには、上記各中心ｃを結んだとき、その仮想線形状は正５角形とはならず、単なる５角形状となるとか、外接円１５は真円とはならない場合がある。尚、ケーブル１１ａは一つの端末機器用の配線として用いられ、またケーブル１１ｂ〜１１ｅもそれぞれ一つの端末機器に対応するように用いるのが、一般的な用い方である。本実施例においても、連結体１４ａ〜１４ｄのうちのいずれか１つを省略すれば、それによって連結されていたケーブル間がフリーな構成となるため、図１の場合と同様なフレキシブル性が得られることになる。その他の点については、図１の場合に対応するので、説明を省略する。
【００２０】
図７は、本発明の他の実施例の断面的構成図である。この実施例の特徴は、図７の実施例の多条ケーブルにおいて、ケーブル１１ｅ、１１ａ間の外被１３を、これと同一の材料の連結体１４ｅで直接連結したものである。この場合、ケーブル１１ａ、１１ｅ間の距離の伸縮性は多少損なわれるものの、ケーブル１１ａ、１１ｂ、１１ｃ、１１ｄ、１１ｅ間の配置が固定され、これらの配置がばらつくのを防止できるものである。その他の点については、図６の場合に対応するので、対応箇所には、同一符号を付して説明を省略する。
【００２１】
図８は、本発明の異なる実施例である。本実施例は、６本のケーブル１１ａ〜１１ｆを用いた場合の本実施例の断面的構成図である。ここで１２はそれぞれ対線、１３はプラスチック・シースからなる外被であり、１４ａ〜１４ｅは、ケーブル１１ａおよび１１ｂの外被間、ケーブル１１ｂおよび１１ｃの外被間、ケーブル１１ｃおよび１１ｄの外被間、ケーブル１１ｄおよび１１ｅの外被間、ケーブル１１ｅおよび１１ｆの外被間をそれぞれつなぐ連結体（ブリッジ）である。連結体１４ａ〜１４ｅは、外被１３と同一材料かつ一体化形成されたもので、本多条ケーブルを押し出しで形成することにより、本構成は得られる。
【００２２】
連結体の幅Ｌは、零より大ならば適宜の長さを選択できるし、該連結体１４ａ〜１４ｅは、それぞれケーブル１１ａ〜１１ｆの長手方向に形成され、隣接するケーブル間を連結している。ケーブル１１ａ〜１１ｆの配置は、これらの中心ｃ同志を結んだ場合、実質的に正６角形が描けるような配置である。言い換えれば、ケーブル１１ａ〜１１ｆにそれぞれ同一形状のものを用いているから、ケーブル１１ａ〜１１ｆの仮想の外接円１５を引いた場合には、この円１５は実質的に真円となる配置である。もちろんケーブル１１ａ〜１１ｆを選択的に異なるもの（例えば、ケーブル径とか対数などが）を用いた場合などには、上記各中心ｃを結んだとき、その仮想線形状は正６角形とはならず、単なる６角形状となるとか、外接円１５は真円とはならない場合がある。尚、ケーブル１１ａは一つの端末機器用の配線として用いられ、またケーブル１１ｂ〜１１ｆもそれぞれ一つの端末機器に対応するように用いるのが、一般的な用い方である。本実施例においても、連結体１４ａ〜１４ｅのうちのいずれか１つを省略すれば、それによって連結されていたケーブル間がフリーな構成となるため、図１の場合と同様なフレキシブル性が得られることになる。その他の点については、図１の場合に対応するので、説明を省略する。
【００２３】
図９は、本発明の他の実施例の断面的構成図である。この実施例の特徴は、図８の実施例の多条ケーブルにおいて、ケーブル１１ｅ、１１ａ間の外被１３を、これと同一の材料の連結体１４ｆで直接連結したものである。この場合、ケーブル１１ａ、１１ｆ間の距離の伸縮性は多少損なわれるものの、ケーブル１１ａ、１１ｂ、１１ｃ、１１ｄ、１１ｅ、１１ｆ間の配置が固定され、これらの配置がばらつくのを防止できるものである。その他の点については、図９の場合に対応するので、対応箇所には、同一符号を付して説明を省略する。
【００２４】
図１０は、本発明の異なる実施例である。本実施例は、７本のケーブル１１ａ〜１１ｇを用いた場合の本実施例の断面的構成図である。ここで１２はそれぞれ対線、１３はプラスチック・シースからなる外被であり、１４ａ〜１４ｆは、ケーブル１１ａおよび１１ｂの外被間、ケーブル１１ｂおよび１１ｃの外被間、ケーブル１１ｃおよび１１ｄの外被間、ケーブル１１ｄおよび１１ｅの外被間、ケーブル１１ｃおよび１１ｇの外被間をそれぞれつなぐ連結体（ブリッジ）である。連結体１４ａ〜１４ｆは、外被１３と同一材料かつ一体化形成されたもので、本多条ケーブルを押し出しで形成することにより、本構成は得られる。
【００２５】
連結体の幅Ｌは、零より大ならば適宜の長さを選択できるし、該連結体１４ａ〜１４ｆは、それぞれケーブル１１ａ〜１１ｇの長手方向に形成され、内側と外側配置のケーブル間を連結している。６個のケーブル１１ａ〜１１ｅの配置は、これらの中心ｃ同志を結んだ場合、実質的に正６角形が描けるような配置であり、その中心に残りのケーブル１１ｇが位置している。言い換えれば、ケーブル１１ａ〜１１ｅにそれぞれ同一形状のものを用いているから、ケーブル１１ａ〜１１ｅの仮想の外接円１５を引いた場合には、この円１５は実質的に真円となる配置である。もちろんケーブル１１ａ〜１１ｅを選択的に異なるもの（例えば、ケーブル径とか対数などが）を用いた場合などには、上記各中心ｃを結んだとき、その仮想線形状は正６角形とはならず、単なる６角形状となるとか、外接円１５は真円とはならない場合がある。尚、ケーブル１１ａは一つの端末機器用の配線として用いられ、またケーブル１１ｂ〜１１ｇもそれぞれ一つの端末機器に対応するように用いるのが、一般的な用い方である。その他の点については、図１の場合に対応するので、説明を省略する。
【００２６】
図１１は、本発明の他の実施例の断面的構成図である。この実施例の特徴は、図１０の実施例の多条ケーブルにおいて、１個のケーブル１１ｆを省略したものであり、このような構成の配置も可能である。
【００２７】
図１２は、本発明の異なる実施例である。本実施例は、７本のケーブル１１ａ〜１１ｇを用いた場合の本実施例の断面的構成図である。ここで１２はそれぞれ対線、１３はプラスチック・シースからなる外被であり、１４ａ〜１４ｆは、ケーブル１１ｇおよび１１ａ〜１１ｆをそれぞれつなぐ連結体（ブリッジ）である。連結体１４ａ〜１４ｆは、外被１３と同一材料かつ一体化形成されたもので、本多条ケーブルを押し出しで形成することにより、本構成は得られる。
【００２８】
連結体の幅Ｌは、零より大ならば適宜の長さを選択できるし、該連結体１４ａ〜１４ｆは、それぞれケーブル１１ａ〜１１ｇの長手方向に形成され、内側と外側配置のケーブル間を連結している。ケーブル１１ａ〜１１ｆの配置は、これらの中心ｃ同志を結んだ場合、実質的に正６角形が描けるような配置である。言い換えれば、ケーブル１１ａ〜１１ｆにそれぞれ同一形状のものを用いているから、ケーブル１１ａ〜１１ｆの仮想の外接円１５を引いた場合には、この円１５は実質的に真円となる配置である。もちろんケーブル１１ａ〜１１ｇを選択的に異なるもの（例えば、ケーブル径とか対数などが）を用いた場合などには、上記各中心ｃを結んだとき、その仮想線形状は正６角形とはならず、単なる６角形状となるとか、外接円１５は真円とはならない場合がある。尚、ケーブル１１ａは一つの端末機器用の配線として用いられ、またケーブル１１ｂ〜１１ｇもそれぞれ一つの端末機器に対応するように用いるのが、一般的な用い方である。その他の点については、図１の場合に対応するので、説明を省略する。
【００２９】
【発明の効果】
以上説明したごとく本発明によれば、外被で丸く束ねるように連結したケーブル構成とし、端末機器がある箇所でこれらがばらばらに配置されていた場合でも、１条（少数の複数条でも可）を布設して、端末機器の箇所で配線する場合には、上記連結体を切り裂くようにして所要のケーブルを、枝葉を作るごとく分岐させることにより、まとまりの良い分岐構成とし、また各ケーブル同志間は、連結体と外被の分だけケーブル間の距離を稼げるため、その分だけ漏話特性が良くなる。また、連結体の幅の分だけ、多条ケーブルの各ケーブル間には、隙間のような遊びができるため、布設時の曲げとかよじれに対して容易に適応できるようになる。特に、布設時によじれが入った場合には布設抵抗が減少し、布設の容易性が高まる。また、本発明の多条ケーブルは、外被で丸く束ねるように連結した構成とするため、従来のフラット形ケーブルと比較して、本多条ケーブルとか、該ケーブルを構成する各対線とかの占める占有面積のスペースファクタも低減化できる。また、本多条ケーブルの製造時も、各ケーブル同志が長手方向に連結した構成であるため、外被押し出し工程を１回行うだけで済むため、製造が非常に簡単化されるなどの利点が得られるようになる、などの利点を有した多条ケーブルが提供できるものである。
【図面の簡単な説明】
【図１】本発明の一実施例の断面的構成図。
【図２】本発明の異なる実施例の断面的構成図。
【図３】本発明の異なる実施例の断面的構成図。
【図４】本発明の異なる実施例の断面的構成図。
【図５】本発明の異なる実施例の断面的構成図。
【図６】本発明の異なる実施例の断面的構成図。
【図７】本発明の異なる実施例の断面的構成図。
【図８】本発明の異なる実施例の断面的構成図。
【図９】本発明の異なる実施例の断面的構成図。
【図１０】本発明の異なる実施例の断面的構成図。
【図１１】本発明の異なる実施例の断面的構成図。
【図１２】本発明の異なる実施例の断面的構成図。
【符号の説明】
１１ａ〜１１ｇ…ケーブル、１２…対線、１３…外被、１４、１４ａ〜１４ｆ…連結体（ブリッジ）。
【図１】
0003583457.tif 000002
【図２】
0003583457.tif 000003
【図３】
0003583457.tif 000004
【図４】
0003583457.tif 000005
【図５】
0003583457.tif 000006
【図６】
0003583457.tif 000007
【図７】
0003583457.tif 000008
【図８】
0003583457.tif 000009
【図９】
0003583457.tif 000010
【図１０】
0003583457.tif 000011
【図１１】
0003583457.tif 000012
【図１２】
0003583457.tif 000013